(57)【要約】【課題】  印刷画像の特殊光沢感と粒状性とを両立させて、好適にメタリック色の印刷を行う。【解決手段】  コンピュータ１００は、画像データと、メタリック領域の特殊光沢感に関する指標値（ここでは光沢度）とを入力する。そして、ハーフトーン処理等により印刷データを生成した後、メタリック領域の印刷を行う。その際、入力した光沢度がＢ１ｍａｘ以下の場合には、低濃度メタリックインクＳ１のみを用いて、入力した光沢度に対応するインク量で印刷を行う。一方、入力した光沢度がＢ１ｍａｘより大きい場合には、低濃度メタリックインクＳ１と高濃度メタリックインクＳ２とを用いて印刷を行う。このとき、それぞれのインク使用量は、入力した光沢度が大きくなるに従って、低濃度メタリックインクＳ１の使用量を減じると共に、高濃度メタリックインクＳ２の使用量を増加させた量として、決定される。【選択図】図６
2010052247.tif 000002
【特許請求の範囲】
【請求項１】
特殊光沢を有する特殊光沢材を含む記録材を用いた印刷が可能な印刷装置であって、
前記特殊光沢材の濃度が異なる２種類以上の記録材の収容容器に接続可能な接続部と、
前記接続部に接続された収容容器に収容された前記２種類以上の記録材のうち、少なくとも１種類の記録材を用いて印刷を行う印刷部と
を備えた印刷装置。
【請求項２】
請求項１記載の印刷装置であって、
前記印刷部は、特殊光沢感に関する指標が第１の所定値より大きくなる印刷を行う場合には、印刷に要求される特殊光沢感が大きくなるに従って、前記２種類以上の記録材のうち、前記特殊光沢材の濃度が相対的に低い低濃度記録材の使用割合を減じ、前記特殊光沢材の濃度が相対的に高い高濃度記録材の使用割合を増加させて印刷を行う
印刷装置。
【請求項３】
請求項１または請求項２記載の印刷装置であって、
前記印刷部は、特殊光沢感に関する指標が第２の所定値以下となる印刷を行う場合には、前記２種類以上の記録材のうち、前記特殊光沢材の濃度が相対的に低い低濃度記録材を優先的に使用して印刷を行う
印刷装置。
【請求項４】
前記第１の所定値及び前記第２の所定値は、前記低濃度記録材のみを用いて印刷した場合に得られる前記特殊光沢感に関する指標の略最大値である請求項２または請求項３記載の印刷装置。
【請求項５】
請求項１記載の印刷装置であって、
前記印刷部は、前記２種類以上の記録材のうち前記特殊光沢材の濃度が相対的に低い低濃度記録材の使用量を一定に保ちつつ、前記特殊光沢材の濃度が相対的に高い高濃度記録材の使用量を変化させて、特殊光沢感を要求される程度に調節して印刷を行う
印刷装置。
【請求項６】
前記特殊光沢材を含む記録材は、印刷媒体表面に印刷された前記記録材の光学的特性が反射角依存性を有する記録材である請求項１ないし請求項５のいずれか記載の印刷装置。
【請求項７】
前記特殊光沢材は、特殊光沢感を発現する顔料である請求項１ないし請求項６のいずれか記載の印刷装置。
【請求項８】
特殊光沢を有する特殊光沢材を含む記録材により印刷を行う印刷方法であって、
印刷媒体上の少なくとも一部の印刷領域内に、前記特殊光沢材の濃度が異なる２種類以上の記録材により形成されるドットを混在させた印刷を行う
印刷方法。
【請求項９】
特殊光沢を有する特殊光沢材を含む記録材を用いて印刷を行うためのコンピュータプログラムであって、
印刷物に求められる特殊光沢感に応じて、前記特殊光沢材の濃度が異なる２種類以上の記録材のそれぞれの使用量を決定する機能と、
前記決定結果に基づいて、前記特殊光沢材を含む記録材により印刷を行う機能と
をコンピュータに実現させるプログラム。
【請求項１０】
特殊光沢を有する特殊光沢材を含む記録材により印刷された印刷物であって、
印刷媒体上の少なくとも一部の印刷領域内に、前記特殊光沢材の濃度が異なる２種類以上の記録材により形成されるドットを混在させて印刷された印刷物。
【発明の詳細な説明】
【技術分野】
【０００１】
本発明は、特殊光沢を有する特殊光沢材を含む記録材を用いて画像を印刷する技術に関する。
【背景技術】
【０００２】
従来、印刷媒体上に、まず、下塗り層を形成し、当該下塗り層の上に、さらに印刷を行う方法が知られている（例えば、下記特許文献１）。かかる方法は、種々の印刷方法に利用でき、例えば、インクジェットプリンタでは、印刷媒体上にメタリックインクの層を形成し、その上にカラーインクを重畳させて印刷することで、様々な色調のメタリック色を再現することができる。
【０００３】
【特許文献１】特表２００２−５３０２２９号公報
【０００４】
しかし、特殊光沢感を所定の程度に抑えてメタリック色の印刷を行いたい場合には、メタリックインクの使用量を減少させる必要があり、このような場合には、メタリックインクのドットが目立つために、印刷画像の粒状性を悪化させることが問題となっていた。かかる問題は、インクジェットプリンタに限らず、種々の印刷装置に共通する問題であった。
【発明の開示】
【発明が解決しようとする課題】
【０００５】
上述の問題を踏まえ、本発明が解決しようとする課題は、印刷画像の特殊光沢感と粒状性とを両立させて、好適にメタリック色の印刷を行うことである。
【課題を解決するための手段】
【０００６】
本発明は、上述の課題の少なくとも一部を解決するためになされたものであり、以下の形態又は適用例として実現することが可能である。
【０００７】
［適用例１］特殊光沢を有する特殊光沢材を含む記録材を用いた印刷が可能な印刷装置であって、
前記特殊光沢材の濃度が異なる２種類以上の記録材の収容容器に接続可能な接続部と、
前記接続部に接続された収容容器に収容された前記２種類以上の記録材のうち、少なくとも１種類の記録材を用いて印刷を行う印刷部と
を備えた印刷装置。
【０００８】
かかる構成の印刷装置は、特殊光沢材の濃度が異なる２種類以上の記録材の収容容器と接続可能である。したがって、かかる印刷装置は、２種類以上の記録内の中から、印刷に求められる特殊光沢感に応じて、最適な記録材を用いて、あるいは、複数の記録材の組み合わせを用いて、印刷を行うことができ、印刷画像の特殊光沢感と粒状性とを両立させて、好適にメタリック色の印刷を行うことができる。なお、本願において、接続部とは、記録材の収容容器と印刷装置とが脱着不可能に一体的に構成されている場合の、収容容器と印刷装置との接続部を含む。
【０００９】
［適用例２］適用例１記載の印刷装置であって、印刷部は、特殊光沢感に関する指標が第１の所定値より大きくなる印刷を行う場合には、印刷に要求される特殊光沢感が大きくなるに従って、２種類以上の記録材のうち、特殊光沢材の濃度が相対的に低い低濃度記録材の使用割合を減じ、特殊光沢材の濃度が相対的に高い高濃度記録材の使用割合を増加させて印刷を行う印刷装置。
【００１０】
かかる構成の印刷装置は、所定程度よりも大きな特殊光沢感を呈するように印刷を行う場合には、印刷に要求される特殊光沢感が大きくなるに従って、２種類以上の記録材のうち、特殊光沢材の濃度が相対的に低い低濃度記録材の使用割合を減じ、特殊光沢材の濃度が相対的に高い高濃度記録材の使用割合を増加させて印刷を行う。すなわち、要求される特殊光沢感が小さい場合には、印刷画像の粒状性が問題となりやすいので、得られる特殊光沢感が小さいが、粒状性を確保しやすい低濃度記録材の使用割合を増やし、要求される特殊光沢感が大きい場合には、粒状性が問題となりにくいので、得られる特殊光沢感が大きい高濃度記録材の使用割合を増やす。したがって、状況に応じた記録材を用いることで、印刷画像の特殊光沢感と粒状性とを両立させて、好適にメタリック色の印刷を行うことができる。
【００１１】
［適用例３］適用例１または適用例２記載の印刷装置であって、印刷部は、特殊光沢感に関する指標が第２の所定値以下となる印刷を行う場合には、２種類以上の記録材のうち、特殊光沢材の濃度が相対的に低い低濃度記録材を優先的に使用して印刷を行う印刷装置。
【００１２】
かかる構成の印刷装置は、所定程度よりも小さな特殊光沢感を呈するように印刷を行う場合には、得られる特殊光沢感が小さいが、粒状性を確保しやすい低濃度記録材を優先的に使用する。したがって、粒状性を確保しつつ、好適にメタリック色の印刷を行うことができる。なお、「低濃度記録材を優先的に使用する」とは、低濃度記録材のみを使用する場合のほか、低濃度記録材を中心に使用しつつ、高濃度記録材も使用する場合を含む。
【００１３】
［適用例４］第１の所定値及び第２の所定値は、低濃度記録材のみを用いて印刷した場合に得られる特殊光沢感に関する指標の略最大値である適用例２または適用例３記載の印刷装置。
【００１４】
かかる構成の印刷装置は、粒状性の確保に優れた低濃度記録材のみでは、呈することができない程度の特殊光沢感を呈するように印刷を行いたい場合を除いては、粒状性の確保に優れた低濃度記録材を優先して使用するので、印刷画像の粒状性を好適に確保することができる。
【００１５】
［適用例５］適用例１記載の印刷装置であって、印刷部は、２種類以上の記録材のうち特殊光沢材の濃度が相対的に低い低濃度記録材の使用量を一定に保ちつつ、特殊光沢材の濃度が相対的に高い高濃度記録材の使用量を変化させて、特殊光沢感を要求される程度に調節して印刷を行う印刷装置。
【００１６】
かかる構成の印刷装置は、低濃度記録材を一定量使用することにより、粒状性を確保しつつ、高濃度記録材で、得られる特殊光沢感を調節することができるので、印刷画像の粒状性と特殊光沢感とを両立させて、好適にメタリック色の印刷を行うことができる。
【００１７】
かかる構成の印刷装置において、記録材や特殊光沢材は、適用例６や適用例７のようにすることもできる。
［適用例６］特殊光沢材を含む記録材は、印刷媒体表面に印刷された記録材の光学的特性が反射角依存性を有する記録材である適用例１ないし適用例５のいずれか記載の印刷装置。
［適用例７］特殊光沢材は、特殊光沢感を発現する顔料である適用例１ないし適用例６のいずれか記載の印刷装置。
【００１８】
また、本発明は、適用例８に示す印刷方法、適用例９に示すプログラム、適用例１０に示す印刷物としても実現することができる。
【００１９】
［適用例８］特殊光沢を有する特殊光沢材を含む記録材により印刷を行う印刷方法であって、印刷媒体上の少なくとも一部の印刷領域内に、特殊光沢材の濃度が異なる２種類以上の記録材により形成されるドットを混在させた印刷を行う印刷方法。
【００２０】
［適用例９］特殊光沢を有する特殊光沢材を含む記録材を用いて印刷を行うためのコンピュータプログラムであって、印刷物に求められる特殊光沢感に応じて、特殊光沢材の濃度が異なる２種類以上の記録材のそれぞれの使用量を決定する機能と、決定結果に基づいて、特殊光沢材を含む記録材により印刷を行う機能とをコンピュータに実現させるプログラム。
【００２１】
［適用例１０］特殊光沢を有する特殊光沢材を含む記録材により印刷された印刷物であって、印刷媒体上の少なくとも一部の印刷領域内に、特殊光沢材の濃度が異なる２種類以上の記録材により形成されるドットを混在させて印刷された印刷物。
【発明を実施するための最良の形態】
【００２２】
Ａ．印刷システムの概要：
図１は、本発明の実施形態としての印刷システム１０の概略構成図である。図示するように、本実施形態の印刷システム１０は、印刷制御装置としてのコンピュータ１００と、コンピュータ１００の制御の下で実際に画像を印刷するプリンタ２００などから構成されている。印刷システム１０は、全体が一体となって広義の印刷装置として機能する。
【００２３】
本実施形態のプリンタ２００には、カラーインクとして、シアンインクと、マゼンタインクと、イエロインクと、ブラックインクとが備えられており、更に、メタリックインクが備えられている。メタリックインクとは、印刷物が特殊光沢感を呈するインクであり、その詳細については、後述する。なお、本実施形態において「カラーインク」という場合には、ブラックインクも含む意味であることとする。
【００２４】
コンピュータ１００には、所定のオペレーティングシステムがインストールされており、このオペレーティングシステムの下で、アプリケーションプログラム２０が動作している。オペレーティングシステムには、ビデオドライバ２２やプリンタドライバ２４が組み込まれている。アプリケーションプログラム２０は、例えば、周辺機器インタフェース１０８を通じて、デジタルカメラ１２０から画像データＯＲＧを入力する。すると、アプリケーションプログラム２０は、ビデオドライバ２２を介して、この画像データＯＲＧによって表される画像をディスプレイ１１４に表示する。また、アプリケーションプログラム２０は、プリンタドライバ２４を介して、画像データＯＲＧをプリンタ２００に出力する。アプリケーションプログラム２０がデジタルカメラ１２０から入力する画像データＯＲＧは、レッド（Ｒ），グリーン（Ｇ），ブルー（Ｂ）の３色の色成分からなるデータである。
【００２５】
本実施形態のアプリケーションプログラム２０は、画像データＯＲＧ内の任意の領域に対して、Ｒ，Ｇ，Ｂの色成分からなる領域（以下、「カラー領域」という）以外に、メタリック色からなる領域（以下、「メタリック領域」という）を指定することができる。メタリック領域とカラー領域とは、重畳していても構わない。つまり、メタリック色を背景色として、その上にカラー画像が形成されるように、それぞれの領域が指定されてもよい。また、アプリケーションプログラム２０は、特殊光沢感に関する指標のレベルを指定することもできる。すなわち、メタリック領域がどの程度の特殊光沢感を呈するかを指定できるのである。なお、特殊光沢感に関する指標の詳細については後述する。
【００２６】
プリンタドライバ２４の内部には、色変換モジュール４２と、ハーフトーンモジュール４４と、印刷制御モジュール４６とが備えられている。このうち印刷制御モジュール４６には、メタリックドット形成モジュール４７とカラー印刷モジュール４８とが備えられている。
【００２７】
色変換モジュール４２は、予め用意された色変換テーブルＬＵＴに従い、画像データＯＲＧ中のカラー領域について、その色成分Ｒ，Ｇ，Ｂをプリンタ２００が表現可能な色成分（シアン（Ｃ）、マゼンタ（Ｍ）、イエロ（Ｙ）、ブラック（Ｋ）の各色）に変換する。
【００２８】
ハーフトーンモジュール４４は、色変換モジュール４２によって色変換された画像データの階調をドットの分布によって表すハーフトーン処理を行う。本実施形態では、このハーフトーン処理として、周知の組織的ディザ法を用いる。なお、ハーフトーン処理としては、組織的ディザ法以外にも、誤差拡散法や濃度パターン法その他のハーフトーン技術を利用することができる。
【００２９】
印刷制御モジュール４６は、ハーフトーン処理された画像データのデータ並びを、プリンタ２００に転送すべき順序に並べ替えて、印刷データとしてプリンタ２００に出力する。また、印刷制御モジュール４６は、印刷開始コマンドや印刷終了コマンドなどの種々のコマンドをプリンタ２００に出力することで、プリンタ２００の制御を行う。
【００３０】
本実施形態では、印刷制御モジュール４６は、メタリックドット形成モジュール４７とカラー印刷モジュール４８とを備えている。メタリックドット形成モジュール４７は、アプリケーションプログラム２０によって指定されたメタリック領域にメタリックインクによるドット形成を行う。一方、カラー印刷モジュール４８は、ハーフトーン処理された画像、すなわち、カラー領域の画像について、カラーインクによるドット形成を行う。
【００３１】
Ｂ．装置構成：
図２は、印刷制御装置としてのコンピュータ１００の構成図である。コンピュータ１００は、ＣＰＵ１０２を中心に、ＲＯＭ１０４やＲＡＭ１０６などを、バス１１６で互いに接続することによって構成された周知のコンピュータである。
【００３２】
コンピュータ１００には、フレキシブルディスク１２４やコンパクトディスク１２６等のデータを読み込むためのディスクコントローラ１０９や、周辺機器とデータの授受を行うための周辺機器インタフェース１０８、ディスプレイ１１４を駆動するためのビデオインターフェース１１２が接続されている。周辺機器インタフェース１０８には、プリンタ２００や、ハードディスク１１８が接続されている。また、デジタルカメラ１２０やカラースキャナ１２２を周辺機器インタフェース１０８に接続すれば、デジタルカメラ１２０やカラースキャナ１２２で取り込んだ画像に対して画像処理を施すことも可能である。また、ネットワークインターフェースカード１１０を装着すれば、コンピュータ１００を通信回線３００に接続して、通信回線に接続された記憶装置３１０に記憶されているデータを取得することもできる。コンピュータ１００は、印刷しようとする画像データを取得すると、上述したプリンタドライバ２４の働きにより、プリンタ２００を制御して、この画像データの印刷を行う。
【００３３】
次に、プリンタ２００の構成について図３を参照して説明する。図３に示すように、プリンタ２００は、紙送りモータ２３５によって印刷媒体Ｐを搬送する機構と、キャリッジモータ２３０によってキャリッジ２４０をプラテン２３６の軸方向に往復動させる機構と、キャリッジ２４０に搭載された印字ヘッド２４１を駆動してインクの吐出及びドット形成を行う機構と、これらの紙送りモータ２３５，キャリッジモータ２３０，印字ヘッド２４１及び操作パネル２５６との信号のやり取りを司る制御回路２６０とから構成されている。
【００３４】
キャリッジ２４０をプラテン２３６の軸方向に往復動させる機構は、プラテン２３６の軸と並行に架設され、キャリッジ２４０を摺動可能に保持する摺動軸２３３と、キャリッジモータ２３０との間に無端の駆動ベルト２３１を張設するプーリ２３２と、キャリッジ２４０の原点位置を検出する位置検出センサ２３４等から構成されている。
【００３５】
キャリッジ２４０には、カラーインクとして、シアンインク（Ｃ）と、マゼンタインク（Ｍ）と、イエロインク（Ｙ）と、ブラックインク（Ｋ）とをそれぞれ収容したカラーインク用カートリッジ２４３が搭載される。また、キャリッジ２４０には、２種類のメタリックインク（Ｓ１）、メタリックインク（Ｓ２）をそれぞれ収容したメタリックインク用カートリッジ２４２が搭載される。キャリッジ２４０の下部の印字ヘッド２４１には、上述の各色のカラーインクに対応する４種類のインク吐出用ヘッド２４４〜２４７、２種類のメタリックインクに対応するインク吐出用ヘッド２４８，２４９が形成されている。キャリッジ２４０にこれらのインクカートリッジ２４２，２４３を上方から装着すると、各カートリッジから吐出用ヘッド２４４ないし２４９へのインクの供給が可能となる。
【００３６】
プリンタ２００の制御回路２６０は、ＣＰＵや、ＲＯＭ、ＲＡＭ、ＰＩＦ（周辺機器インタフェース）等がバスで相互に接続されて構成されており、キャリッジモータ２３０及び紙送りモータ２３５の動作を制御することによってキャリッジ２４０の主走査動作及び副走査動作の制御を行う。また、ＰＩＦを介してコンピュータ１００から出力された印刷データを受け取ると、キャリッジ２４０が主走査あるいは副走査する動きに合わせて、印刷データに応じた駆動信号をインク吐出用ヘッド２４４ないし２４９に供給することによって、これらのヘッドを駆動することが可能となっている。
【００３７】
以上のようなハードウェア構成を有するプリンタ２００は、キャリッジモータ２３０を駆動することによって、各色のインク吐出用ヘッド２４４ないし２４９を印刷媒体Ｐに対して主走査方向に往復動させ、また紙送りモータ２３５を駆動することによって、印刷媒体Ｐを副走査方向に移動させる。制御回路２６０は、キャリッジ２４０が往復動する動き（主走査）や、印刷媒体の紙送りの動き（副走査）に合わせて、印刷データに基づいて適切なタイミングでノズルを駆動することにより、印刷媒体Ｐ上の適切な位置に適切な色のインクドットを形成する。こうすることによって、プリンタ２００は印刷媒体Ｐ上にカラー画像を印刷することが可能となっている。なお、上述の構成では、メタリックインクは、プリンタ２００に搭載される脱着可能なカートリッジに収容されているが、プリンタ２００とは分離して構成されたインク収容タンクなどに収容し、当該収容タンクとプリンタ２００とを接続してもよい。あるいは、脱着不可能にプリンタ２００と一体的に構成された収容容器に収容されていてもよい。
【００３８】
Ｃ．メタリックインクの特性：
上述のとおり、本実施例のプリンタ２００は、２種類のメタリックインクＳ１，Ｓ２をそれぞれ収容したメタリックインク用カートリッジ２４２を搭載している。メタリックインクとは、印刷物が特殊光沢感を発現するインクであり、このようなメタリックインクとしては、例えば、特殊光沢感を発現する金属顔料と有機溶剤と樹脂とを含む油性インク組成物を用いることができる。視覚的に金属的な質感を効果的に生じさせるためには、前述の金属顔料は、平板状の粒子であることが好ましく、この平板状粒子の平面上の長径をＸ、短径をＹ、厚みをＺとした場合、平板状粒子のＸ−Ｙ平面の面積より求めた円相当径の５０％平均粒子径Ｒ５０が０．５〜３μｍであり、かつ、Ｒ５０／Ｚ＞５の条件を満たすことが好ましい。このような金属顔料は、例えば、アルミニウムやアルミニウム合金によって形成することができ、また、金属蒸着膜を破砕して作成することも可能である。メタリックインクに含まれる金属顔料の濃度は、例えば、０．１〜１０．０重量％とすることができる。もちろん、メタリックインクはこのような組成に限らず、特殊光沢を有する特殊光沢材を含むものであれば、他の組成を適宜採用することが可能である。また、メタリックインクは、印刷媒体表面に印刷されたインクの光学的特性が反射角依存性を有し、見る角度によって様々な見え方を呈するインクとして捉えることもできる。
【００３９】
また、本実施例で用いる２種類のメタリックインクは、金属顔料の濃度が互いに異なるものである。本願においては、金属顔料の濃度が相対的に高いものを、高濃度メタリックインク、金属顔料の濃度が相対的に低いものを低濃度メタリックインクという。本実施例においては、低濃度メタリックインクＳ１の組成は、アルミニウム顔料０．５重量％、グリセリン２０重量％、トリエチレングリコールモノブチルエーテル４０重量％、ＢＹＫ−ＵＶ３５００（ビックケミー・ジャパン株式会社製）０．１重量％とし、高濃度メタリックインクＳ２の組成は、アルミニウム顔料１．５重量％、グリセリン２０重量％、トリエチレングリコールモノブチルエーテル４０重量％、ＢＹＫ−ＵＶ３５００（ビックケミー・ジャパン株式会社製）０．１重量％とした。
【００４０】
上述の低濃度メタリックインクＳ１及び高濃度メタリックインクＳ２の特性の違いについて、図４を参照して説明する。図４は、低濃度メタリックインクＳ１または高濃度メタリックインクＳ２を用いて印刷を行った場合の、印刷領域に占めるドットの割合であるデューティ（Ｄｕｔｙ）と、印刷物の光沢度（入射角２０度）との関係を示すグラフである。この例では、図示するように、低濃度メタリックインクＳ１を用いた場合、デューティが０から増加するに従って、光沢度も増していき、デューティがＤ１のときに、光沢度は、低濃度インク最高光沢度Ｂ１ｍａｘ（約２００）を示す。そして、さらにデューティが増加すると、光沢度は大きく減少していく。一方、高濃度メタリックインクＳ２を用いた場合、デューティが０から増加するに従って、光沢度は、低濃度メタリックインクＳ１よりも大きな傾きで増していき、デューティがＤ１のときに、光沢度は、高濃度インク最高光沢度Ｂ２ｍａｘ（約５００）を示す。そして、さらにデューティが増加すると、光沢度は微減傾向を示す。このように、金属顔料の含有量によって、印刷物の光沢度に大きな違いが生じるのである。
【００４１】
なお、上述の光沢度は、メタリック領域の特殊光沢感の指標の一つとすることができ、例外はあるものの、大まかには、光沢度が高いほど特殊光沢感が大きいと捉えることができる。すなわち、図４に示した関係から、金属顔料の濃度が高いメタリックインクは、濃度が低いメタリックインクと比べて、大きな特殊光沢感を得ることができ、また、デューティの変化による特殊光沢感への影響も大きいといえる。このことは、金属顔料の濃度が高いメタリックインクによる印刷は、大きな特殊光沢感を得ることができるが、特殊光沢感を抑えた印刷を行う場合には、デューティが小さくなり、メタリックインクのドットが目立つようになって、印刷した画像の粒状性が悪化することを意味している。また、金属顔料の濃度が低いメタリックインクによる印刷は、大きな特殊光沢感を得ることはできないが、特殊光沢感を抑えた印刷を行う場合、メタリックインクのドットが目立ちにくく、また、デューティが比較的大きいので、印刷した画像の粒状性が良いことを意味している。
【００４２】
Ｄ．印刷処理：
続いて、コンピュータ１００がプリンタドライバ２４の働きにより実行する印刷処理について説明する。図５は、本実施形態における印刷処理のフローチャートである。印刷処理を開始すると、コンピュータ１００は、プリンタドライバ２４によってアプリケーションプログラム２０からメタリック領域とカラー領域とが指定された画像データを入力する（ステップＳ１００）。ここでは、コンピュータ１００は、メタリック領域の特殊光沢感に関する指標値も併せて入力する。入力される指標値は、あらかじめ設定された値でもよいし、アプリケーションプログラム２０を介してユーザが指定した値でもよい。本実施例においては、指標値は、光沢度であり、例えば、光沢度「３００」を入力する。なお、本実施例では、コンピュータ１００は、指標値そのものを入力する構成としたが、指標値の最大値に対する割合や、特殊光沢感の程度を示す階調数などであってもよい。
【００４３】
画像データを入力すると、コンピュータ１００は、画像データ内のカラー領域について、ＲＧＢ形式の画像データをＣＭＹＫ形式の画像データに変換する（ステップＳ１０２）。ＣＭＹＫ形式の画像データが得られると、コンピュータ１００は、ハーフトーンモジュール４４を用いてハーフトーン処理を行い、プリンタ２００に転送可能なデータを生成する（ステップＳ１０４）。
【００４４】
ハーフトーン処理に続いて、コンピュータ１００は、メタリックドット形成モジュール４７によってプリンタ２００を制御し、ステップＳ１００で入力した画像データ内に含まれるメタリック領域の印刷を行う（ステップＳ１０６）。ここでの印刷処理については、図６を用いて詳しく説明する。図６は、メタリック領域の印刷に用いる低濃度メタリックインクＳ１と高濃度メタリックインクＳ２の量を示す説明図である。図示するように、ステップＳ１００で入力した光沢度が、低濃度インク最高光沢度Ｂ１ｍａｘ以下である場合には、コンピュータ１００は、低濃度メタリックインクＳ１のみを用いて、入力した光沢度に対応するインク量で印刷を行う。入力した光沢度が低濃度インク最高光沢度Ｂ１ｍａｘである場合には、低濃度メタリックインクＳ１の使用量は、図４にも示した通り、デューティＤ１に相当する量である。
【００４５】
一方、ステップＳ１００で入力した光沢度が、低濃度インク最高光沢度Ｂ１ｍａｘより大きい場合には、低濃度メタリックインクＳ１と高濃度メタリックインクＳ２とを用いて、印刷を行う。それぞれのインク使用量は、入力した光沢度が大きくなるに従って、低濃度メタリックインクＳ１の使用量を減じると共に、高濃度メタリックインクＳ２の使用量を増加させた量として、決定される。そして、入力した光沢度が高濃度インク最高光沢度Ｂ２ｍａｘである場合には、高濃度メタリックインクＳ２の使用量は、デューティＤ１に相当する量となり、低濃度メタリックインクＳ１の使用量は、ゼロとなる。
【００４６】
なお、このようなインク使用量の決定は、例えば、入力する特殊光沢感の指標値と、低濃度メタリックインクＳ１，高濃度メタリックインクＳ２の使用量とを対応付けたテーブルを記憶しておくことで、容易に行う構成とすることができる。また、低濃度メタリックインクＳ１により形成されるドットと高濃度メタリックインクＳ２により形成されるドットの配置についても、低濃度メタリックインクＳ１と高濃度メタリックインクＳ２の使用量の組み合わせと、両者のドットの分散性とを考慮して、決定してもよい。
【００４７】
また、本実施例では、低濃度インク最高光沢度Ｂ１ｍａｘ以上の光沢度を入力した場合には、低濃度メタリックインクＳ１と高濃度メタリックインクＳ２のデューティは、両者の合算で一定量（Ｄ１）としたが、デューティは、必ずしも一定である必要はなく、例えば、入力した光沢度が大きくなるに従って、デューティが大きくなってもよい。また、入力した光沢度が、低濃度インク最高光沢度Ｂ１ｍａｘ以下である場合に、高濃度メタリックインクＳ２を併用しても、低濃度メタリックインクＳ１を中心的に使用すれば差し支えない。
【００４８】
メタリック領域の印刷が終了すると、最後に、コンピュータ１００は、カラー印刷モジュール４８によってプリンタ２００を制御し、ハーフトーン処理のなされたカラー領域の印刷を行う（ステップＳ１０８）。
【００４９】
かかる構成の印刷システム１０は、印刷画像の粒状性の確保が行いやすい低濃度メタリックインクＳ１では呈することができない特殊光沢感の指標の範囲で印刷を行う場合には、低濃度メタリックインクＳ１と高濃度メタリックインクＳ２とを組み合わせて、メタリック領域の印刷を行う。その際、入力した特殊光沢感の指標が大きくなるに従って、低濃度メタリックインクＳ１の使用割合を減じ、高濃度メタリックインクＳ２の使用割合を増やしたインク量を決定する。すなわち、高濃度メタリックインクＳ２は、特殊光沢感を抑えた印刷を行う場合には、デューティが小さくなり、印刷物の粒状性が問題となるが、特殊光沢感が大きくなるに従ってデューティが大きくなり、粒状性が問題とならなくなっていくので、求められる特殊光沢感が小さくなるに従い、粒状性を確保しやすい低濃度メタリックインクＳ１を多く用いた印刷を行い、求められる特殊光沢感が大きくなるに従い、特殊光沢感が大きい高濃度メタリックインクＳ２を用いた印刷を行う。したがって、印刷画像の粒状性の悪化を抑えつつ、好適にメタリック色を印刷することができる。
【００５０】
また、かかる構成の印刷システム１０は、印刷画像の粒状性の確保が行いやすい低濃度メタリックインクＳ１で呈することが可能な特殊光沢感の指標の範囲で印刷を行う場合には、粒状性の確保が容易な低濃度メタリックインクＳ１のみを用いて、印刷を行う。したがって、印刷画像の粒状性を確保しつつ、好適にメタリック色を印刷することができる。
【００５１】
Ｅ．変形例：
Ｅ−１．変形例１：
実施例においては、低濃度インク最高光沢度Ｂ１ｍａｘを閾値として、入力する光沢度に応じて、低濃度メタリックインクＳ１及び高濃度メタリックインクＳ２の使用量の決定方法を変化させる構成としたが、その閾値は、低濃度インク最高光沢度Ｂ１ｍａｘに限るものではなく、メタリックインクのデューティと印刷画像の粒状性との関係等を考慮して、適宜設定すればよい。例えば、低デューティ域における粒状性が比較的問題とならない場合には、閾値を低濃度最高光沢度Ｂ１ｍａｘよりも小さく設定してもよい。
【００５２】
Ｅ−２．変形例２：
実施例においては、プリンタ２００は、金属顔料の濃度が異なる２種類のメタリックインクを搭載可能であり、コンピュータ１００は、印刷物に求められる特殊光沢感に応じて、２種類のメタリックインクのうちの１種類、または、２種類を組み合わせて使用することで、印刷画像の粒状性と特殊光沢感とを両立させる構成としたが、使用するメタリックインクは、２種類に限るものではない。例えば、プリンタ２００は、３種類以上のメタリックインクを搭載可能としてもよい。この場合、コンピュータ１００は、求められる特殊光沢感に応じて、Ｎ種類（Ｎは３以上の整数）のメタリックインクのうちの１種類、または、Ｍ種類（Ｍは、２以上Ｎ以下の整数）を組み合わせて使用してもよい。こうすれば、特殊光沢感と粒状性の制御の幅が広がり、より好適に粒状性を確保しつつ、所望の特殊光沢感を呈する印刷を行うことができる。
【００５３】
Ｅ−３．変形例３：
実施例においては、コンピュータ１００は、印刷物に求められる特殊光沢感の程度に応じて、低濃度メタリックインクＳ１の使用量を変化させてメタリック領域の印刷を行う構成としたが、低濃度メタリックインクＳ１は、求められる特殊光沢感の所定の範囲（図７では、光沢度Ｂ３〜Ｂ４）において、一定量使用する構成としてもよい。例えば、図７に示すように、低濃度メタリックインクＳ１の使用量は、デューティＤ２に相当する量を常に使用し、求められる特殊光沢感に応じて、高濃度メタリックインクＳ２の使用量をゼロからデューティＤ３に相当する量まで変化させる構成としてもよい。上述の所定の範囲は、適宜設定すればよいが、例えば、図６に示した、光沢度が低濃度最高光沢度Ｂ１ｍａｘから高濃度最高光沢度Ｂ２ｍａｘとの間としてもよい。このようにしても、低濃度メタリックインクＳ１の使用により粒状性を確保できるので、粒状性と特殊光沢感を両立させることができる。
【００５４】
Ｅ−４．変形例４：
実施例においては、コンピュータ１００は、印刷物に求められる特殊光沢感に応じて、２種類のメタリックインクのうちの１種類、または、２種類を組み合わせて使用することで、印刷画像の粒状性と特殊光沢感とを両立させる構成としたが、使用するメタリックインクは、プリンタ２００に搭載される２種類以上のメタリックインクのうち、常に１種類としてもよい。例えば、図８に示すように、入力した光沢度が閾値Ｂ５までは、低濃度メタリックインクＳ１のみを用いてメタリック領域の印刷を行い、入力した光沢度が閾値Ｂ５よりも大きい場合には、高濃度メタリックインクＳ２のみを用いて印刷を行う構成としてもよい。高濃度メタリックインクＳ２のみの使用時において、高濃度メタリックインクＳ２の使用量が、デューティＤ１よりも小さいデューティＤ５に相当する量以上であれば印刷画像の粒状性が問題とならない場合には、かかる構成であっても、粒状性と特殊光沢感とを両立させることができる。
【００５５】
Ｅ−５．変形例５：
実施例においては、入力する特殊光沢感の指標として光沢度を用いたが、特殊光沢感の指標としては、特に限定するものではなく、種々の指標を用いることができる。例えば、次式（１）で表される公知の特殊光沢感指標値Ｉｎ１を用いてもよい。あるいは、次式（２）で表される特殊光沢感指標値Ｉｎ２を用いてもよい。
【００５６】
【数１】
2010052247.tif 000003
【００５７】
【数２】
2010052247.tif 000004
【００５８】
金属顔料の濃度と特殊光沢感指標値Ｉｎ２との関係の例を図９（ａ）に示す。図示するように、低濃度メタリックインクＳ１を用いる場合、デューティが大きくなるに従い、特殊光沢感指標値Ｉｎ２は大きくなるが、その傾きは緩やかであり、デューティが５０の場合でも特殊光沢感指標値Ｉｎ２は２に満たない。一方、高濃度メタリックインクＳ２を用いる場合、デューティが大きくなるに従い、特殊光沢感指標値Ｉｎ２が大きくなるのは同様であるが、その傾きは、低濃度メタリックインクＳ１よりも大きく、デューティが５０の場合では特殊光沢感指標値Ｉｎ２は約６となる。また、図４に示した指標値（光沢度）とデューティとの関係では、デューティが所定値（Ｄ１）で指標値（光沢度）のピークが現れ、デューティがそれよりも大きくなると指標値（光沢度）が減少する傾向を示したが、図９（ａ）に図示するデューティの範囲（５〜５０）においては、指標値（特殊光沢感指標値Ｉｎ２）のピークは現れない。
【００５９】
かかる特殊光沢感指標値Ｉｎ２を上記ステップＳ１００で入力する場合には、コンピュータ１００は、ステップＳ１０６において、例えば、実施例と同様に、図９（ｂ）の関係図に従って、低濃度メタリックインクＳ１及び高濃度メタリックインクＳ２の使用量を決定してもよい。すなわち、特殊光沢感指標値Ｉｎ２がＩ１（低濃度メタリックインクＳ１のデューティＤ６に相当）までの範囲では、低濃度メタリックインクＳ１のみを用い、特殊光沢感指標値Ｉｎ２がＩ１からＩ２（高濃度メタリックインクＳ２のデューティＤ６に相当）までの範囲では、徐々に低濃度メタリックインクＳ１を減じるとともに、高濃度メタリックインクＳ２を増加させてもよい。勿論、低濃度メタリックインクＳ１及び高濃度メタリックインクＳ２の使用量の決定は、図９（ｂ）の例に限定されるものではなく、光沢度を指標値とした変形例と場合と同様に、種々の設定が可能である。
【００６０】
あるいは、例えば、次式（３）で表される特殊光沢感指標値Ｉｎ３などを特殊光沢感の指標として用いてもよい。参考として、金属顔料の濃度と特殊光沢感指標値Ｉｎ３との関係の例を図１０に示す。この場合も、図９（ａ）に示した金属顔料の濃度と特殊光沢感指標値Ｉｎ２との関係と同様の傾向となり、低濃度メタリックインクＳ１及び高濃度メタリックインクＳ２の使用量も、特殊光沢感指標値Ｉｎ２の場合と同様に考えることができる。
【００６１】
【数３】
2010052247.tif 000005
【００６２】
Ｅ−６．変形例６：
上述した実施形態においては、コンピュータ１００とプリンタ２００とによって構成される印刷システム１０（広義の印刷装置）において、図５に示した印刷処理を行ったが、プリンタ２００の制御回路２６０内のＣＰＵが、当該印刷処理と同等の処理を実行してもよい。こうすれば、画像データをデジタルカメラ、各種メモリカード等から入力して、コンピュータ１００を介さずにプリンタ２００で好適な印刷を行うことができる。
【００６３】
Ｅ−７．変形例７：
上述の実施形態においては、プリンタ２００は、インク吐出用ヘッド２４４ないし２４９を移動させながら、印刷媒体Ｐに向けてインク滴を吐出することにより、インクドットを形成するシリアル方式のインクジェットプリンタとして示したが、プリンタの方式は、特に限定するものではなく、例えば、インク吐出用ヘッドが印刷媒体Ｐの幅に亘って配列されたラインプリンタや、インク滴を吐出する代わりに、静電気を利用して各色のトナー粉を印刷媒体上に付着させることでドットを形成するレーザプリンタなどに対しても、本発明を好適に適用することができる。なお、レーザプリンタに適用する場合には、メタリックインクに代えて、金属顔料等を含むトナー粉を用いればよい。もとより、プリンタに限らず、版を用いた印刷機などにも好適に適用可能である。
【００６４】
以上、本発明の実施形態について説明したが、本発明はこうした実施形態に限られるものではなく、本発明の要旨を脱しない範囲において、種々なる態様で実施できることは勿論である。例えば、本発明は、印刷装置としての構成のほか、印刷方法、プログラム、記憶媒体、印刷物等としても実現することができる。
【図面の簡単な説明】
【００６５】
【図１】本発明の実施形態としての印刷システム１０の概略構成図である。
【図２】印刷制御装置としてのコンピュータ１００の構成図である。
【図３】プリンタ２００の構成図である。
【図４】メタリックインクにおける金属顔料の濃度の違いによる印刷物の光沢度の特性の違いを示す説明図である。
【図５】印刷処理の手順を示すフローチャートである。
【図６】低濃度メタリックインクＳ１及び高濃度メタリックインクＳ２の使用量の決定方法を示す説明図である。
【図７】変形例としての、低濃度メタリックインクＳ１及び高濃度メタリックインクＳ２の使用量の決定方法を示す説明図である。
【図８】変形例としての、低濃度メタリックインクＳ１及び高濃度メタリックインクＳ２の使用量の決定方法を示す説明図である。
【図９】メタリックインクにおける金属顔料の濃度の違いによる印刷物の特殊光沢感指標値の特性の違いを示す説明図である。
【図１０】メタリックインクにおける金属顔料の濃度の違いによる印刷物の特殊光沢感指標値の特性の違いを示す説明図である。
【符号の説明】
【００６６】
１０…印刷システム
２０…アプリケーションプログラム
２２…ビデオドライバ
２４…プリンタドライバ
４２…色変換モジュール
４４…ハーフトーンモジュール
４６…印刷制御モジュール
４７…メタリックドット形成モジュール
４８…カラー印刷モジュール
１００…コンピュータ
１０２…ＣＰＵ
１０４…ＲＯＭ
１０６…ＲＡＭ
１０８…周辺機器インタフェース
１０９…ディスクコントローラ
１１０…ネットワークインターフェースカード
１１２…ビデオインターフェース
１１４…ディスプレイ
１１６…バス
１１８…ハードディスク
１２０…デジタルカメラ
１２２…カラースキャナ
１２４…フレキシブルディスク
１２６…コンパクトディスク
２００…プリンタ
２３０…キャリッジモータ
２３１…駆動ベルト
２３２…プーリ
２３３…摺動軸
２３４…位置検出センサ
２３５…紙送りモータ
２３６…プラテン
２４０…キャリッジ
２４１…印字ヘッド
２４２…メタリックインク用カートリッジ
２４３…カラーインク用カートリッジ
２４４〜２４９…インク吐出用ヘッド
２５６…操作パネル
２６０…制御回路
３００…通信回線
３１０…記憶装置
ＯＲＧ…画像データ
ＬＵＴ…色変換テーブル
Ｐ…印刷媒体
Ｓ１…低濃度メタリックインク
Ｓ２…高濃度メタリックインク
【図１】
2010052247.tif 000006
【図２】
2010052247.tif 000007
【図３】
2010052247.tif 000008
【図４】
2010052247.tif 000009
【図５】
2010052247.tif 000010
【図６】
2010052247.tif 000011
【図７】
2010052247.tif 000012
【図８】
2010052247.tif 000013
【図９】
2010052247.tif 000014
【図１０】
2010052247.tif 000015